(57)【特許請求の範囲】
【請求項１】
粒状物が供給されて目皿の目皿孔に溜められ、前記目皿が回転して前記目皿の目皿孔と前記目皿の下方に配置される繰出板の繰出口とが連通したときに前記目皿の目皿孔に溜められた前記粒状物が前記繰出板の繰出口から繰出されるように構成されるものであり、前記目皿は上目皿孔を有する上目皿と下目皿孔を有する下目皿とを備えて構成され、前記目皿の目皿孔は前記上目皿の上目皿孔と前記下目皿の下目皿孔とで構成されるとともに前記繰出板および前記下目皿を移動させることにより、前記目皿の目皿孔の容積を増減可能に構成される粒状物の繰出装置であって、
前記上目皿に対して、前記繰出板および前記下目皿における前記粒状物が供給される側が前記上目皿から遠ざかる方向に前記繰出板および前記下目皿が傾斜しないように、前記繰出板および前記下目皿を支持する姿勢支持部を具備し、
前記繰出板の下面に当接して前記繰出板を押圧しながら前記下目皿の軸心方向に移動可能に構成される移動部を備え、前記移動部を移動させることによって前記繰出板および前記下目皿を移動させて前記目皿の目皿孔の容積を増減させるように構成される位置変更機構を具備し、
前記姿勢支持部は、バネ部材で構成されるとともに、前記位置変更機構の移動部を付勢するように構成した
ことを特徴とする粒状物の繰出装置。
【発明の詳細な説明】
【技術分野】
【０００１】
本発明は、粒状物の繰出装置の技術に関する。
【背景技術】
【０００２】
従来、粒状物を所定量毎に繰出す粒状物の繰出装置の技術は種々知られている。このような粒状物の繰出装置には、粒状物である種子を播く播種装置に備えられて、種子（粒状物）を所定量毎に繰出すものが公知となっている（特許文献１参照）。
【０００３】
また、このような粒状物の繰出装置には、ホッパから落下する複数個の粒状物が目皿の目皿孔に供給されて目皿孔内に溜められていき、目皿が回転して繰出板の繰出口の上方に目皿の目皿孔が位置して目皿の目皿孔と繰出板の繰出口とが連通したときに、目皿の目皿孔に溜まった粒状物が繰出板の繰出口から繰出されるように構成されるものがある。当該粒状物の繰出装置は、仕切板を具備し、ホッパから落下する種子が粒状物よりも後方の目皿上に供給され、目皿が回転して仕切板よりも前方において粒状物を繰出すように構成される。
【０００４】
さらに、このような粒状物の繰出装置には、目皿が、上目皿孔を有する上目皿と下目皿孔を有する下目皿とを備えて構成され、目皿の目皿孔が、上目皿の上目皿孔と下目皿の下目皿孔とで構成されるとともに位置変更機構によって繰出板および下目皿を移動させることにより目皿の目皿孔の容積を増減可能に構成されるものがある。
【先行技術文献】
【特許文献】
【０００５】
【特許文献１】特開２００１−２５１９０９号公報
【発明の概要】
【発明が解決しようとする課題】
【０００６】
しかしながら、前記粒状物の繰出装置では、粒状物がホッパから落下して仕切板よりも後方の目皿上に供給されると、目皿における粒状物が供給される側は、粒状物の荷重（２〜３ｋｇ）がかかって、目皿における粒状物が繰出される側に比べて重くなる。前記粒状物の繰出装置では、このように荷重がかかることにより目皿の目皿孔および繰出板に荷重がかかって、誤差やガタや撓み等によって、上目皿に対して、繰出板および下目皿における粒状物が供給される側が上目皿から遠ざかる方向（下方に回動する方向）に繰出板および下目皿が傾斜する場合がある。前記粒状物の繰出装置では、前記上目皿に対して繰出板および下目皿が傾斜すると、目皿の種子が供給される側において目皿孔の容積が目皿の種子が繰出される側に比べて大きくなる。
【０００７】
そして、前記粒状物の繰出装置では、このような状態で粒状物が供給される側から粒状物が繰出される側に目皿が回転していくと、前記目皿の粒状物が繰出される側に比べて大きかった目皿の目皿孔の容積が次第に小さくなる。このため、前記粒状物の繰出装置では、前記目皿が回転したときに目皿の目皿孔の容積が小さくなることによって、目皿の目皿孔内で粒状物の割れが発生し、また、目皿の目皿孔内の粒状物が目皿孔に引っ掛る（詰まる）場合がある。
【０００８】
本発明は、以上の如き状況に鑑みてなされたものであり、粒状物が供給される側から粒状物が繰出される側に目皿が回転したときに目皿の目皿孔の容積が小さくなることによって、目皿の目皿孔内で粒状物の割れが発生すること、および、目皿の目皿孔内の粒状物が目皿孔に引っ掛る（詰まる）こと、を防止することができる粒状物の繰出装置を提供することを課題とする。
【課題を解決するための手段】
【０００９】
本発明の解決しようとする課題は以上の如くであり、次にこの課題を解決するための手段を説明する。
【００１０】
請求項１においては、粒状物が供給されて目皿の目皿孔に溜められ、前記目皿が回転して前記目皿の目皿孔と前記目皿の下方に配置される繰出板の繰出口とが連通したときに前記目皿の目皿孔に溜められた前記粒状物が前記繰出板の繰出口から繰出されるように構成されるものであり、前記目皿は上目皿孔を有する上目皿と下目皿孔を有する下目皿とを備えて構成され、前記目皿の目皿孔は前記上目皿の上目皿孔と前記下目皿の下目皿孔とで構成されるとともに前記繰出板および前記下目皿を移動させることにより前記目皿の目皿孔の容積を増減可能に構成される、粒状物の繰出装置であって、前記上目皿に対して、前記繰出板および前記下目皿における前記粒状物が供給される側が前記上目皿から遠ざかる方向に前記繰出板および前記下目皿が傾斜しないように、前記繰出板および前記下目皿を支持する、姿勢支持部を具備し、前記繰出板の下面に当接して前記繰出板を押圧しながら前記下目皿の軸心方向に移動可能に構成される移動部を備え、前記移動部を移動させることによって前記繰出板および前記下目皿を移動させて前記目皿の目皿孔の容積を増減させるように構成される位置変更機構を具備し、前記姿勢支持部は、バネ部材で構成されるとともに前記位置変更機構の移動部を付勢するように構成したものである。
【発明の効果】
【００１１】
本発明の効果として、以下に示すような効果を奏する。
【００１２】
即ち、本発明によれば、粒状物が供給される側から粒状物が繰出される側に目皿が回転したときに目皿の目皿孔の容積が小さくなることによって、目皿の目皿孔内で粒状物の割れが発生すること、および、目皿の目皿孔内の粒状物が目皿孔内に引っ掛る（詰まる）こと、を防止することができる。
【図面の簡単な説明】
【００１３】
【図１】本発明の実施形態に係る繰出装置を備える湛水直播機が装着された走行機体の全体的な構成を示した側面図。
【図２】本発明の実施形態に係る繰出装置を備える湛水直播機を示した背面図。
【図３】本発明の実施形態に係る繰出装置を示した側面断面図。
【図４】本発明の実施形態に係る繰出装置の内部構造を示した分解正面図。
【図５】本発明の実施形態に係る繰出装置の内部構造を示した分解背面図。
【図６】本発明の実施形態に係る繰出装置の内部構造を示した正面図。
【図７】本発明の実施形態に係る繰出装置の内部構造を示した背面図。
【図８】本発明の実施形態に係る繰出装置の内部構造を示した左側面図。
【図９】本発明の実施形態に係る繰出装置の内部構造を示した右側面図。
【図１０】本発明の実施形態に係る繰出装置の内部構造を粒状物の供給経路の上流側から見た図。
【図１１】本発明の実施形態に係る繰出装置を示した側面断面図。
【発明を実施するための形態】
【００１４】
次に、本発明の実施形態に係る粒状物の繰出装置（以下「繰出装置」という）５０について、図１から図１１を用いて説明する。
【００１５】
繰出装置５０は、粒状物を所定量毎に繰出すものである。繰出装置５０は、例えば、粒状の薬剤（粒状物）を散布する薬剤散布装置１６や、粒状の種子（粒状物）を播く播種装置４０、等に備えられる。以下において、繰出装置５０から繰出される粒状物は、粒状の種子であるものとし、繰出装置５０は、播種装置４０に備えられて前記粒状の種子を繰出すものとして、説明する。
【００１６】
繰出装置５０を備える播種装置４０（湛水直播機１９）が装着される走行機体１の全体的な構成について、図１を用いて説明する。走行機体１は、図１に示すように、走行部１０と昇降リンク機構２０とを具備する。走行機体１の後部には、昇降リンク機構２０を介して湛水直播機１９が装着される。走行機体１における走行部１０の後部上には、施肥機１７が搭載され、湛水直播機１９の後部上に薬剤散布装置１６が搭載される。
【００１７】
走行部１０では、エンジン２が機体の前部に設けられる。走行部１０のエンジン２は、ボンネット４により被覆される。走行部１０では、ミッションケースが機体の前部に支持されるとともにエンジン２の後下方に配置される。走行部１０では、フロントアクスルケース５が機体の前部に支持され、前車輪６がフロントアクスルケース５の左右両側に支承される。走行部１０では、リアアクスルケース７が機体の後部に支持され、後車輪８が当該リアアクスルケース７の左右両側に支承される。
【００１８】
そして、走行部１０は、エンジン２の動力が前記ミッションケースを介して左右の前車輪６と左右の後車輪８とにそれぞれ伝達されて、前車輪６および後車輪８が回転駆動するように構成される。このようにして、走行機体１が前進又は後進走行可能とされる。
【００１９】
走行部１０では、機体の前後中途部に運転操作装置１１が設けられる。走行部１０の運転操作装置１１の前部には、操向操作用の環状の操向ハンドル１２、各種操作ペダル１３、ダッシュボード１４などが配置される。走行部１０の運転操作装置１１の後部には、運転席１５が操向ハンドル１２の後方に位置するように配置される。走行部１０のダッシュボード１４の上には、操向ハンドル１２に加えて、各種の操作具や表示装置が配置される。
【００２０】
昇降リンク機構２０は、左右一対の上リンク２１・２１、左右一対の下リンク２２・２２、回転アーム２５、および、油圧シリンダ２６等を備える。
【００２１】
昇降リンク機構２０の一対の上リンク２１・２１は、左右方向に間隔を空けて相互に平行に設けられる。昇降リンク機構２０の上リンク２１・２１の一端部（前端部）は、軸部材２３を支点として上下方向に回転可能に機体後部に支持される。昇降リンク機構２０の上リンク２１・２１の他端部（後端部）は、湛水直播機１９の前端に取付けられる。昇降リンク機構２０の一対の下リンク２２・２２は、左右方向に間隔を空けて相互に平行に設けられる。昇降リンク機構２０の下リンク２２・２２の一端部（前端部）は、軸部材２４を支点として上下方向に回転可能に機体後部に支持される。昇降リンク機構２０の下リンク２２・２２の他端部（後端部）は、湛水直播機１９の前端部に取付けられる。
【００２２】
昇降リンク機構２０の回転アーム２５は棒状の部材であり、その一端部（下端部）は下リンク２２・２２の間に固定される。昇降リンク機構２０の油圧シリンダ２６は、機体後部に装着される湛水直播機１９を昇降させるためのアクチュエータである。昇降リンク機構２０の油圧シリンダ２６の一端部は、回転アーム２５の他端部（上端部）に連結される。昇降リンク機構２０の油圧シリンダ２６の他端部は、機体に連結される。そして、走行機体１の昇降リンク機構２０は、油圧シリンダ２６を伸縮させることにより、回転アーム２５、上リンク２１・２１、および、下リンク２２・２２、を回動させて、湛水直播機１９を昇降させるように構成される。
【００２３】
湛水直播機１９は、水を湛えた状態の水田に水稲の種子を直接播くものであり、播種フレーム、播種フレームに取付けられるフロート１８、マーカー２７、および、播種装置４０等を備える。湛水直播機１９のフロート１８は、センターフロートとサイドフロート等からなり、播種装置４０が泥中に沈まないように支持する。湛水直播機１９のマーカー２７は、播種フレームの左右両側に上下回動可能に支持され、枕地で回行して次の条の播種をおこなう時の目印を田面上に付けるためのものである。湛水直播機１９の播種装置４０は、左右方向に複数台並べて配置される。
【００２４】
湛水直播機１９の播種装置４０は、粒状の種子を播くものであり、図２に示すように、複数個の粒状の種子（粒状物）が収容されるホッパ４１と、ホッパ４１に収納される前記種子を繰出す繰出装置５０と、を備える。播種装置４０は、ホッパ４１の下端に繰出装置５０が配置され、繰出装置５０の下端に筒体４２が設けられて構成される。播種装置４０は、繰出装置５０によって繰出された種子を筒体４２の下端の開口から排出して、種子を播くように構成される。
【００２５】
播種装置４０の繰出装置５０は、点播するように所定量毎に種子を繰出す装置であり、左右方向に条数分複数台（例えば、８台）並べて配置される。繰出装置５０は、図３乃至図５に示すように、ケース５１と、目皿駆動軸５２と、スペーサ５３と、目皿６０と、繰出板５５と、シム５７と、仕切板３０と、ブラシ３３と、落下補助手段３４と、遮蔽部材３５と、位置変更機構９０と、姿勢支持部９９と、を具備する。
【００２６】
繰出装置５０のケース５１は、主として上ケース５１ａと下ケース５１ｂとで構成され、上ケース５１ａと下ケース５１ｂとが上下に配置されて全体として略筒状に構成される。繰出装置５０のケース５１内には、目皿駆動軸５２、スペーサ５３、目皿６０、繰出板５５、シム５７、ブラシ３３、落下補助手段３４、遮蔽部材３５、位置変更機構９０、および、姿勢支持部９９、が配置される。また、繰出装置５０のケース５１内には、各々の軸心が一致するように、目皿駆動軸５２、スペーサ５３、目皿６０、および、シム５７が配置される。
【００２７】
繰出装置５０の目皿駆動軸５２は、目皿６０を回転駆動させるものであり、その軸心が上後下前に傾斜するようにケース５１内に配置される。繰出装置５０の目皿駆動軸５２の上部には、ベベルギアが設けられる。そして、繰出装置５０の目皿駆動軸５２は、前記ベベルギアに、上ケース５１ａの上部側方から上ケース５１ａ内に貫入された回転軸４３に設けられたベベルギアが噛合されて、回転軸４３の回転動力が目皿駆動軸５２に伝達可能に構成される。このようにして、繰出装置５０の目皿駆動軸５２は、回転軸４３が回転することにより、目皿駆動軸５２の軸心方向に対して周方向に回転するように構成される。また、繰出装置５０の目皿駆動軸５２は、目皿駆動軸５２の軸心方向上方から見て、時計回りに回転するように構成される。播種装置４０の回転軸４３は、前記複数台の播種装置４０の繰出装置５０の上ケース５１ａ内に左右方向に嵌挿されるように横設されて（図２参照）、ミッションケースに入力されたエンジン２からの動力がＰＴＯ軸を介して、複数台の繰出装置５０・５０・・・の各々に伝達するように構成される。
【００２８】
繰出装置５０のスペーサ５３は、略環状に形成される部材であり、ケース５１内において目皿６０の上方に配置される。繰出装置５０のスペーサ５３は、上ケース５１ａの係合突起にその係合溝５３ｂが係合されることにより上ケース５１ａに固定される。このようにして、繰出装置５０のスペーサ５３は、上ケース５１ａ内で、上下方向（スペーサ５３の軸心方向）に移動しないように構成されるとともに、スペーサ５３の周方向に回転しないように位置決めされる。
【００２９】
繰出装置５０のシム５７は、ステンレス鋼素材からなる円盤状の部材であり、ケース５１（上ケース５１ａ）内に配置される。繰出装置５０のシム５７は、シム５７の内径がスペーサ５３の内経と略同一に形成される。繰出装置５０のシム５７は、スペーサ５３と目皿６０との間に配置される。繰出装置５０のシム５７は、スペーサ５３の軸心とシム５７の軸心とを一致させ、シム５７の上面がスペーサ５３の下面に当接するようにして、スペーサ５３の下方に配置される。繰出装置５０のシム５７は、目皿６０の軸心とシム５７の軸心とを一致させ、シム５７の下面が目皿６０の上面に当接するようにして、目皿６０の上方に配置される。
【００３０】
繰出装置５０の目皿６０は、略円盤状の部材であり、ケース５１内においてシム５７と繰出板５５との間に配置される。繰出装置５０の目皿６０は、その中央部において駆動軸５２に固定されて、目皿駆動軸５２が回転すると、目皿駆動軸５２と一体となって回転するように構成される。このとき、繰出装置５０の目皿６０は、目皿６０の軸心を回転軸心として目皿６０の周方向に回転するように構成される。また、繰出装置５０の目皿６０は、目皿６０の軸心方向上方から見て、時計回りに回転するように構成される。
【００３１】
繰出装置５０の目皿６０は、目皿孔６１を有する。繰出装置５０の目皿６０の目皿孔６１は、ホッパ４１から落下した種子が、繰出装置５０から繰出される前に一時的に溜められる部分である。繰出装置５０の目皿６０の目皿孔６１は、目皿６０の半径方向中途部に、目皿６０の上面から下面に貫通するように形成される。繰出装置５０の目皿６０の目皿孔６１は、目皿６０の軸心とスペーサ５３の軸心とを一致させるようにしてスペーサ５３の下方に目皿６０が配置された状態で、目皿孔６１の上方の開口がスペーサ５３の内周面よりも内側（軸心側）に位置するように形成される。繰出装置５０の目皿６０の目皿孔６１は、複数個配置される。繰出装置５０では、八個の目皿孔６１・６１・・が目皿６０の軸心を中心にして周方向に均等に配置される。繰出装置５０における目皿６０の目皿孔６１は、同心円上に等角度で設けられる。なお、繰出装置５０の目皿６０の目皿孔６１の数は限定されるものではない。繰出装置５０の目皿６０の目皿孔６１は、その容積を増減可能に構成される。
【００３２】
繰出装置５０の繰出板５５は、略円盤状の部材であり、繰出板５５の上面が目皿６０の下面に当接するようにして目皿６０の下方に配置される。繰出装置５０の繰出板５５は、目皿駆動軸５２および目皿６０が回転してもこれに追従して回転しないように、下ケース５１ｂ内に配置される。繰出装置５０の繰出板５５は、繰出板５５の軸心と目皿６０の軸心とが同一軸心上に配置される。繰出装置５０の繰出板５５は、目皿６０の軸心方向に移動可能に構成される。
【００３３】
繰出装置５０の繰出板５５は、繰出口５５ａと、中央孔５５ｂと、を有する。繰出装置５０の繰出板５５の繰出口５５ａは、前記目皿６０の目皿孔６１に溜まった種子が目皿孔６１から落下して繰出される部分である。繰出装置５０の繰出板５５の繰出口５５ａは、繰出板５５における前方の部分が、繰出板５５の外周端から中央方向に向かって半径方向の中途部まで凹状に切欠かれるようにして形成される。繰出装置５０の繰出板５５の繰出口５５ａは、繰出板５５の軸心と目皿６０の軸心とを一致させるようにして目皿６０の下方に繰出板５５が配置された状態で、目皿６０が回転したときの目皿孔６１の回転軌跡よりも内側（中央側）まで切欠かれるように形成される。繰出装置５０の繰出板５５の中央孔５５ｂは、繰出板５５の中央部に上面から下面に貫通するように形成される。
【００３４】
繰出装置５０の仕切板３０は、ボルト等によってケース５１（上ケース５１ａ）に固定されて、ケース５１内に配置される。繰出装置５０の仕切板３０は、図６乃至図１０に示すように、仕切部３１と、支持部３２と、を有する。繰出装置５０の仕切板３０の仕切部３１は、ホッパ４１から落下する種子が、仕切板３０の仕切部３１よりも後方（下方）の目皿６０上に供給されるように、ケース５１内の空間を前後に仕切るものである。繰出装置５０の仕切板３０の支持部３２は、落下補助手段３４を支持するものである。
【００３５】
繰出装置５０の仕切板３０は、平板状の部材の左側部が、前方に突出させるように折り曲げられるとともに、前端が前右方に突出するように前記前方に突出する部分（平板状の部材の左側）の中途部を折り曲げたような形状に形成される。繰出装置５０の仕切板３０の仕切部３１は、仕切板３０の右側部および中央部（左側部以外）で構成される。繰出装置５０の仕切板３０の支持部３２は、前記仕切板３０の左側部で構成される。繰出装置５０の仕切板３０は、スペーサ５３（目皿６０）の上方に配置される。繰出装置５０の仕切板３０は、その仕切部３１が、目皿駆動軸５２の近傍の後方に位置するとともに、最後部に位置したときの目皿６０の目皿孔６１よりも前方に位置するように、配置される。繰出装置５０の仕切板３０は、その支持部３２の前端が目皿駆動軸５２よりも前方に位置するように、配置される。
【００３６】
繰出装置５０のブラシ３３は、目皿６０上において目皿孔６１に入りきらない種子を当該目皿孔６１から除くためのブラシ状の部材である。繰出装置５０のブラシ３３は、仕切板３０の仕切部３１から下方に突出するように仕切部３１における左側部の後方の面に設けられる。繰出装置５０のブラシ３３は、先端（下端）が目皿６０の上面に接する高さに設定される。
【００３７】
このように構成される繰出装置５０は、目皿６０が回転して（仕切板３０の仕切部３１よりも）後方に位置する目皿６０の目皿孔６１に、ホッパ４１から落下された複数個の種子が、目皿６０の目皿孔６１における上方の開口から供給されて目皿孔６１内に溜められていくように構成される。このとき、繰出装置５０の目皿６０の目皿孔６１における前方以外の下方の開口は、繰出板５５によって閉じられた状態となっている。そして、繰出装置５０は、目皿６０が更に回転して繰出板５５の繰出口５５ａの上方に目皿６０の目皿孔６１が位置する（目皿孔６１が前方に位置する）と、目皿６０の目皿孔６１と繰出板５５の繰出口５５ａとが連通して、前記目皿６０の目皿孔６１に溜まった種子が当該目皿６０の目皿孔６１から落下して、繰出板５５の繰出口５５ａから繰出されるように構成される。繰出装置５０は、上ケース５１ａ内における繰出板５５の上方の空間が、その後側の空間から前側の空間に種子が入り込まないように隔壁等で閉じられるとともに、前記後側の空間が、その上方においてホッパ４１と連通するように構成される。繰出装置５０は、斯かる動作を繰返すことにより、種子を所定量毎に繰出して点播するように構成される。なお、繰出装置５０では、スペーサ５３、目皿６０、繰出板５５、または、シム５７、における仕切板３０よりも後方側は、それぞれの種子（粒状物）が供給される側、として構成される。また、繰出装置５０では、スペーサ５３、目皿６０、繰出板５５、または、シム５７、における仕切板３０よりも前方側は、それぞれの種子（粒状物）が繰出される側、として構成される。
【００３８】
また、繰出装置５０の落下補助手段部材３４は、目皿６０の目皿孔６１と繰出板５５の繰出口５５ａとが連通した状態で目皿６０の目皿孔６１に溜められた種子（目皿孔６１で引っ掛った状態の種子）に作用して、目皿６０の目皿孔６１に溜められた種子の当該目皿孔６１からの落下を補助( 促進) するように構成される。
【００３９】
例えば、目繰出装置５０の落下補助手段３４は、その先端（下端）が目皿６０の目皿孔６１に溜められた種子に上方から接触することによって、目皿６０の目皿孔６１に溜められた種子に作用するように構成される。繰出装置５０の落下補助手段３４は、仕切板３０の支持部３２の先端部に支持されて、仕切板３０に設けられる。繰出装置５０の落下補助手段３４は、仕切板３０の仕切部３１よりも前方に配置される。
【００４０】
繰出装置５０の落下補助手段３４は、繰出板５５の繰出口５５ａの上方に配置される。繰出装置５０の落下補助手段３４は、目皿６０の目皿孔６１の回転軌跡上に配置される。繰出装置５０の落下補助手段３４は、目皿６０の種子が繰出される側において、落下補助手段３４の先端（下端）が目皿６０の目皿孔６１における上方の開口から目皿孔６１内（目皿孔６１内における上方の開口近傍）に挿入されて目皿孔６１内に位置するように、配置される。
【００４１】
以上のように、繰出装置５０の落下補助手段３４は、目皿６０の目皿孔６１と繰出板５５の繰出口５５ａとが連通した状態で目皿６０の目皿孔６１に溜められた種子（粒状物）に作用して、目皿６０の目皿孔６１に溜められた種子（粒状物）の落下を補助するように構成される。そして、繰出装置５０では、目皿６０の目皿孔６１に溜められた種子（粒状物）に落下補助手段３４が作用することによって、目皿６０の目皿孔６１に種子（粒状物）が引っ掛った状態を解消させることができる。したがって、繰出装置５０によれば、目皿６０の目皿孔６１と繰出板５５の繰出口５５ａとが連通したときに、目皿６０の目皿孔６１に溜められた種子（粒状物）を確実に目皿６０の目皿孔６１から落下させることができる。
【００４２】
繰出装置５０の落下補助手段３４は、目皿６０の目皿孔６１と繰出板５５の繰出口５５ａとが連通した状態で目皿６０の目皿孔６１に溜められた種子（粒状物）に上方から接触する、下端部が種子（粒状物）と接触したときに当該種子（粒状物）が傷付かないような素材のブラシ状の部材で構成される。このため、繰出装置５０によれば、前記目皿６０の目皿孔６１に溜められた種子（粒状物）に落下補助手段３４が接触したときに、当該種子（粒状物）が落下補助手段３４によって傷付くことを抑制することができる。
【００４３】
なお、目繰出装置５０の落下補助手段３４は、目皿６０の目皿孔６１の上方からエアーを吹きかけることによって、目皿６０の目皿孔６１に溜められた種子に作用するように構成することもできる。
【００４４】
繰出装置５０の遮蔽部材３５は、ホッパ４１から落下して目皿６０上面に至るまでの種子の供給経路上に配置される。繰出装置５０の遮蔽部材３５は、種子が供給される側の目皿６０の上方に配置される。繰出装置５０の遮蔽部材３５は、種子（粒状物）の供給経路の上流側（目皿駆動軸５２の軸心方向上方）から見て、目皿６０の上面の一部（目皿６０の種子が供給される側の上面の一部）が隠れるように構成される（図１１参照）。
【００４５】
繰出装置５０の遮蔽部材３５は、平板状の部材を側面視Ｌ字状に折り曲げたような形状に形成される。繰出装置５０の遮蔽部材３５は、仕切板３０の仕切部３１から後方に突出するように、仕切部３１における右側部の後方の面に設けられる。繰出装置５０の遮蔽部材３５は、仕切板３０の仕切部３１よりも後方に配置される。
【００４６】
以上のように、繰出装置５０の遮蔽部材３５は、ホッパ４１から落下して目皿６０上面に至るまでの種子（粒状物）の供給経路上に配置され、種子（粒状物）の供給経路の上流側から見て、目皿６０の上面の一部（目皿６０の種子が供給される側の上面の一部）が隠れるように構成される。このように構成される繰出装置５０では、ホッパ４１から落下した複数個の種子のうち一部のものは、遮蔽部材３５（または遮蔽部材３５上に溜まった種子）の上面（種子の供給経路の上流側の面）に当接した後、または、遮蔽部材３５の上面側に溜まった後、目皿６０の上面側に落下することとなる。このため、繰出装置５０では、前記遮蔽部材３５の上面に当接した後または遮蔽部材３５の上面側に溜まった後に目皿６０の上面側に落下する種子は、落下の勢いが弱められて目皿６０側に落下することとなる。したがって、繰出装置５０によれば、ホッパ４１から種子が落下したときの目皿６０上の種子（粒状物）または目皿孔６１内の種子（粒状物）にかかる圧力を弱めて、種子が落下することによって目皿６０の上面および目皿６０の目皿孔６１内で種子（粒状物）が圧密されて目皿孔６１に引っ掛る（詰まる）ことを抑制することができる。よって、繰出装置５０によれば、目皿６０の目皿孔６１と繰出板５５の繰出口５５ａとが連通したときに、目皿６０の目皿孔６１に溜められた種子（粒状物）を確実に目皿６０の目皿孔６１から落下させることができる。
【００４７】
繰出装置５０の遮蔽部材３５は、目皿６０（目皿６０の上面）の近傍に配置される。このため、繰出装置５０の遮蔽部材３５では、遮蔽部材３５と目皿６０との距離が短くなり、前記遮蔽部材３５の上面に当接した後または遮蔽部材３５の上面側に溜まった後に種子が目皿６０の上面側に落下する距離も短くなる。つまり、繰出装置５０では、前記遮蔽部材３５の上面に当接した後または遮蔽部材３５の上面側に溜まった後に目皿６０の上面に落下する種子は、確実に落下の勢いが弱められて、目皿６０側に落下することとなる。したがって、繰出装置５０によれば、種子が落下したときの目皿６０上の種子（粒状物）または目皿孔６１内の種子（粒状物）にかかる圧力を確実に弱めて、種子が落下することによって目皿６０上面および目皿６０の目皿孔６１内で種子（粒状物）が圧密されて目皿孔６１に引っ掛る（詰まる）ことを抑制することができる。
【００４８】
繰出装置５０の遮蔽部材３５は、種子の供給経路の上流側から見て、目皿６０における種子が供給される側の上面の右側部が隠れるように構成される。繰出装置５０の遮蔽部材３５は、種子の供給経路の上流側から見て、目皿６０における種子が供給される側の目皿６０の回転方向上流側の上面が隠れるように構成される。
【００４９】
このため、繰出装置５０では、ホッパ４１から落下された種子は、目皿６０における種子が供給される側の目皿６０の回転方向上流側では目皿６０の目皿孔６１内に溜められず、目皿６０の種子が供給される側における目皿６０の回転方向の遮蔽部材３５よりも下流側で目皿６０の目皿孔６１内に溜められることとなる。したがって、繰出装置５０によれば、種子が目皿６０の目皿孔６１内に溜められる時間（種子が目皿６０の目皿孔６１内に溜められてから目皿６０の目皿孔６１と繰出板５５の繰出口５５ａとが連通するまでの時間）を短くすることができる。よって、繰出装置５０によれば、時間の経過とともに目皿６０の目皿孔６１内で種子が圧密されていくこと（目皿６０の目皿孔６１内で揺すられて種子（粒状物）が圧密されて目皿孔６１に引っ掛る（詰まる）ことを抑制することができる。なお、繰出装置５０は、ネジ等で着脱可能に仕切板３０に遮蔽部材３５が設けられて、遮蔽部材３５を外して作業ができるように構成される。
【００５０】
次に、播種装置４０における繰出装置５０の目皿６０の目皿孔６１が容積を増減可能な構成について具体的に説明する。繰出装置５０の目皿６０は、図３乃至図５に示すように、上目皿７０と、下目皿８０と、を備えて構成される。
【００５１】
繰出装置５０の上目皿７０は、略円盤状の部材であり、上目皿７０の軸心と下目皿８０の軸心と一致させるようにして下目皿８０の上方に配置される。繰出装置５０の上目皿７０は、上目皿７０の上面の周縁部がスペーサ５３の下面に当接するようにスペーサ５３の下方に配置される。繰出装置５０の上目皿７０は、凸部７１と、中央孔７２と、突出部７３と、上目皿孔７４と、下ガイド７５と、上突出部７６と、を有する。
【００５２】
繰出装置５０の上目皿７０の凸部７１は、上目皿７０の上面の中央部から円筒状に上方に突出するように形成される。繰出装置５０における上目皿７０の中央孔７２は、凸部７１の中央部（上目皿７０の中央部）に、凸部７１の上面から上目皿７０の下面に貫通するように形成される。繰出装置５０における上目皿７０の中央孔７２は、目皿駆動軸５２の下部を嵌挿可能に構成される。そして、繰出装置５０における上目皿７０は、上目皿７０の中央孔７２に目皿駆動軸５２の下部が嵌挿されて目皿駆動軸５２に固定されて、目皿駆動軸５２が回転すると目皿駆動軸５２と一体となって上目皿７０の周方向に回転するように構成される。
【００５３】
繰出装置５０の上目皿７０の突出部７３は、上目皿７０の半径方向中途部において、上目皿７０の下面から下方（上目皿７０の軸心方向）に突出するように形成される。繰出装置５０における上目皿７０の突出部７３は、円筒状に形成される。繰出装置５０における上目皿７０の突出部７３は、下目皿８０の下目皿孔８４の上方から下目皿８０の下目皿孔８４に挿入可能に形成される。繰出装置５０の上目皿７０の突出部７３は、突出部７３の外径が下目皿８０の下目皿孔８４の内径と略同一に形成されて、上目皿７０の突出部７３の外面と下目皿８０の下目皿孔８４の内面との間に隙間が無い状態で摺動可能に形成される。繰出装置５０の上目皿７０の突出部７３は、突出部７３の先端部（下端部）における壁部の厚みが種子（粒状物）の半径よりも小さく形成されて構成される。繰出装置５０の上目皿７０の突出部７３は、先端部の断面形状が尖状に形成されて構成される。繰出装置５０における上目皿７０の突出部７３は、複数個配置される。繰出装置５０では、八個の突出部７３・７３・・が上目皿７０の軸心を中心にして周方向に均等に配置される。
【００５４】
繰出装置５０の上目皿７０の上目皿孔７４は、突出部７３を通って上目皿７０を貫通するように形成される。繰出装置５０における上目皿７０の上目皿孔７４は、突出部７３の軸心方向（突出部７３の突出する方向）に沿って、上目皿７０の上面から突出部７３における突出方向の先端（突出部７３の下面）に貫通するように形成される。繰出装置５０における上目皿７０の上目皿孔７４は、円柱状に形成される。繰出装置５０における上目皿７０の上目皿孔７４は、上目皿７０の軸心とスペーサ５３との軸心とを一致させるようにしてスペーサ５３の下方に上目皿７０が配置された状態で、上目皿孔７４の上方の開口がスペーサ５３の内周面よりも内側（中央側）に位置するように形成される。繰出装置５０における上目皿７０の上目皿孔７４は、突出部７３の突出する方向に末広がり（テーパ状）に形成される。繰出装置５０の上目皿７０の上目皿孔７４は、そのテーパ角が極めて小さくなるように（例えば、テーパ角が１０度以下になるように）形成される。繰出装置５０における上目皿７０の上目皿孔７４は、複数個配置される。繰出装置５０では、八個の上目皿孔７４・７４・・が上目皿７０の軸心を中心にして周方向に均等に配置される。
【００５５】
繰出装置５０の上目皿７０の下ガイド７５は、上目皿７０の下面の周縁部全周から下方に突出するように環状に形成される。
【００５６】
繰出装置５０の上目皿７０の上突出部７６は、上目皿７０の上面から上方（スペーサ５３の方向に）に突出するように形成される。繰出装置５０における上目皿７０の上突出部７６は、その上端位置が上目皿孔７４の上方の開口よりも高くなるように、形成される。繰出装置５０における上目皿７０の上突出部７６は、上目皿７０の上面の周縁部全周に配置されて、環状に形成される。繰出装置５０における上目皿７０の上突出部７６は、上目皿７０の軸心とシム５７の軸心とを一致させるようにしてシム５７の下方に上目皿７０が配置された状態で、スペーサ５３の下方に位置するように形成される。繰出装置５０における上目皿７０の上突出部７６は、上目皿７０の半径方向において上目皿孔７４の上方の開口よりも外側（上目皿７０の軸心側と反対側）に配置される。繰出装置５０における上目皿７０の上突出部７６は、上目皿７０の半径方向において上目皿７０の半径方向外側端のやや内側（上目皿７０の軸心側）に配置される。
【００５７】
繰出装置５０の下目皿８０は、その外径が上目皿７０の下ガイド７５の内径よりも小さく形成される略円盤状の部材である。繰出装置５０の下目皿８０は、その厚さ方向の長さ（軸心方向の長さ）が上目皿７０の突出部７３における軸心方向の長さと略同一に構成される。
【００５８】
繰出装置５０の下目皿８０は、スペーサ５３および上目皿７０の軸心と下目皿８０の軸心とを一致させるようにしてスペーサ５３および上目皿７０の下方に配置される。繰出装置５０の下目皿８０は、下目皿８０の下面が繰出板５５の上面に当接するようにして繰出板５５の上方に配置される。繰出装置５０の下目皿８０および繰出板５５は、ケース５１内において下目皿８０および繰出板５５が一体となって上目皿７０と平行に保たれた状態で上目皿７０および下目皿８０の軸心方向に移動可能に構成される。繰出装置５０の下目皿８０は、凸部８１と、中央孔８２と、溝部８３と、下目皿孔８４と、を有する。
【００５９】
繰出装置５０の下目皿８０の凸部８１は、下目皿８０の下面の中央部から下方に突出するように形成される。繰出装置５０における下目皿８０の中央孔８２は、凸部８１の中央部（下目皿８０の中央部）に、凸部８１の上面から下目皿８０の下面に貫通するように形成される。繰出装置５０における下目皿８０の中央孔８２は、その内径が目皿駆動軸５２の下部の外径よりも大きく形成されて、目皿駆動軸５２の下部を挿入可能に構成される。そして、繰出装置５０における下目皿８０は、下目皿８０の中央孔８２に目皿駆動軸５２の下部が挿入された状態で、下目皿８０の軸心方向に移動可能に構成される。
【００６０】
繰出装置５０の下目皿８０は、前記下目皿８０の各下目皿孔８４に上目皿７０の各突出部７３が挿入された状態で、目皿駆動軸５２が回転すると、目皿駆動軸５２および上目皿７０と一体となって下目皿８０の周方向に回転するように構成される。繰出装置５０における下目皿８０は、前記下目皿８０の各下目皿孔８４に上目皿７０の各突出部７３（突出部７３の少なくとも一部が）が挿入された状態で、下目皿８０の下目皿孔８４内を上目皿７０の突出部７３が上下方向（上目皿７０および下目皿８０の軸心方向）に摺動（移動）可能に構成される。
【００６１】
繰出装置５０では、繰出板５５および下目皿を位置変更機構９０によって移動させることにより、上目皿７０の突出部７３における下目皿８０の下目皿孔８４への挿入位置を変更させて、目皿６０の目皿孔６１は、目皿孔６１の容積を増減可能に構成される。繰出装置５０では、下目皿８０を下方（上目皿７０側と反対側）に移動させて上目皿７０の突出部７３における下目皿８０の下目皿孔８４への挿入位置を変更すると、下目皿８０の下目皿孔８４における上目皿７０の突出部７３が挿入されていない部分の容積が大きくなって（目皿６０の目皿孔６１における軸心方向の長さが長くなって）、目皿６０の目皿孔６１の容積が増加する（図１１参照）。また、繰出装置５０では、下目皿８０を上方（上目皿７０側）に移動させて上目皿７０の突出部７３における下目皿８０の下目皿孔８４への挿入位置を変更すると、下目皿８０の下目皿孔８４における上目皿７０の突出部７３が挿入されていない部分の容積が小さくなって（目皿６０の目皿孔６１における軸心方向の長さが短くなって）、目皿６０の目皿孔６１の容積が減少する（図３参照）。
【００６２】
このようにして、繰出装置５０では、目皿６０の目皿孔６１の容積を増減させて、目皿６０の目皿孔６１に溜められる種子（粒状物）の量を増減させることができ、繰出装置５０によって繰出される繰出し単位毎の種子（粒状物）の量を増減させることができる。
【００６３】
繰出装置５０の位置変更機構９０は、下目皿８０の軸心方向に繰出板５５および下目皿８０を移動させて、ケース５１内における繰出板５５および下目皿８０の位置を変更させる（繰出板５５および下目皿８０を移動させる）ように構成される。繰出装置５０の位置変更機構９０は、繰出板５５および下目皿８０の位置を変更させる（繰出板５５および下目皿８０を移動させる）ことにより、上目皿７０の突出部７３における下目皿８０の下目皿孔８４への挿入位置を変更させて、目皿６０の目皿孔６１の容積を増減させるように構成される。繰出装置５０の位置変更機構９０は、弾性部材５６と、移動部９１と、操作部９２と、を備え、操作部９２を操作して移動部９１を移動させることによって繰出板５５を下方から押圧可能に構成される。
【００６４】
繰出装置５０における位置変更機構９０の弾性部材５６は、コイル状のバネで構成される。繰出装置５０における位置変更機構９０の弾性部材５６は、その上端部を上目皿７０の下面に当接させ、その下端部を下目皿８０の溝部８３内に収納してその下端部を溝部８３の底面に当接させるようにして、上目皿７０と下目皿８０との間に配置される（図３参照）。繰出装置５０における位置変更機構９０の弾性部材５６は、このように配置された状態で、下目皿８０および繰出板５５を下方に付勢する。
【００６５】
繰出装置５０における位置変更機構９０の移動部９１は、繰出板５５の下面に当接して繰出板５５を押圧しながら下目皿８０の軸心方向に移動可能に構成される。繰出装置５０における位置変更機構９０の移動部９１は、繰出板５５の下方に配置され、左右一対の押圧板９３と、カム当接部材９４と、前後一対の支持部材９５と、を有して構成される。
【００６６】
繰出装置５０における位置変更機構９０の移動部９１の押圧板９３は、平板状の部材であり、上部が二又状の側面視略Ｖ字状に形成される。繰出装置５０における位置変更機構９０の移動部９１の押圧板９３は、下部の左右中央にカム当接部材９４が嵌挿される嵌挿孔を有する。繰出装置５０における位置変更機構９０の移動部９１のカム当接部材９４は、棒状の部材であり、カム当接部材９４の両端部が押圧板９３のそれぞれの嵌挿孔にそれぞれ嵌挿されて、押圧板９３の下部間を左右水平に掛け渡されるように配置される。このようにして、繰出装置５０における位置変更機構９０の移動部９１は、カム当接部材９４の両端部が押圧板９３から外側に突出するように構成される。繰出装置５０における位置変更機構９０の移動部９１の支持部材９５は、棒状の部材であり、押圧板９３を支持するように押圧板９３の間に掛け渡されて、カム当接部材９４の前後にそれぞれ配置される。
【００６７】
繰出装置５０における位置変更機構９０の移動部９１は、一対の押圧板９３における上部のＶ字状の二つの先端部がそれぞれ繰出板５５の下面に当接するように配置される。つまり、繰出装置５０における位置変更機構９０の移動部９１は、一対の押圧板９３のそれぞれの先端部で、上部繰出板５５の下面の四箇所（複数箇所）に当接するように、構成される。このとき、繰出装置５０における位置変更機構９０の移動部９１は、下目皿８０の軸心から等距離で繰出板５５の下面に当接するように構成される。
【００６８】
繰出装置５０における位置変更機構９０の操作部９２は、移動部９１の下方に配置されて、操作部９２を操作することによって移動部９１を移動させるように構成される。繰出装置５０における位置変更機構９０の操作部９２は、軸部材９６と、一対のカム部材９７と、操作レバー９８と、を有して構成される。
【００６９】
繰出装置５０における位置変更機構９０の操作部９２の軸部材９６は、棒状の部材であり、回動自在にその両側がケース５１に水平（左右方向）に支持されて構成される。繰出装置５０における位置変更機構９０の操作部９２の軸部材９６は、その軸心方向と下目皿８０の軸心方向とが直交するようにケース５１に支持される。繰出装置５０における位置変更機構９０の操作部９２のカム部材９７は、平板状の部材であって、側部（外周部）にカム面を有し、略楕円形に形成されて構成される。繰出装置５０における位置変更機構９０の操作部９２のカム部材９７は、ケース５１内において下目皿８０の軸心から左右に等距離で軸部材９６に固定される。繰出装置５０における位置変更機構９０の操作部９２のカム部材９７は、そのカム面が移動部９１のカム当接部材９４に当接するように配置される。繰出装置５０における位置変更機構９０の操作部９２の操作レバー９８は、ケース５１外で軸部材９６に固定される。
【００７０】
そして、繰出装置５０の位置変更機構９０は、操作部９２の操作レバー９８を回動させて軸部材９６およびカム部材９７を回動させることにより、カム部材９７の移動部９１のカム当接部材９４に対する当接位置が変更されて、下目皿８０の軸心方向上方または下目皿８０の軸心方向下方に移動部９１を移動させるように構成される。なお、繰出装置５０における位置変更機構９０の操作レバー９８が任意の回動位置で保持できるように、図示しない保持手段がケース５１外部に設けられる。繰出装置５０の位置変更機構９０は、移動部９１を上方（下目皿８０の軸心方向上方）に移動させて繰出板５５を下方から押圧（繰出板５５の下面を押圧）させることによって、弾性部材５６の付勢力に反して繰出板５５および下目皿８０を上方に移動させるように構成される。繰出装置５０の位置変更機構９０は、移動部９１を下方（下目皿８０の軸心方向下方）に移動させて繰出板５５への押圧を解除することによって、繰出板５５および下目皿８０を下方に移動させるように構成される。このとき、繰出装置５０の繰出板５５および下目皿８０は、弾性部材５６に付勢力に従って下方に移動する。このようにして、繰出装置５０の位置変更機構９０は、移動部９１を移動させることによって繰出板５５および下目皿８０を移動させて、目皿６０の目皿孔６１の容積を増減させるように構成される。
【００７１】
繰出装置５０は、案内溝５８を備える。繰出装置５０の案内溝５８は、位置変更機構９０の移動部９１における下目皿８０の軸心方向への移動を案内するものであり、ケース５１（下ケース５１ｂ）の内面に形成される。繰出装置５０の案内溝５８は、ケース５１（下ケース５１ｂ）の左右の内面にそれぞれ形成される。繰出装置５０の案内溝５８は、下目皿８０の軸心方向と平行に形成される。繰出装置５０の案内溝５８は、側面視で下目皿８０の軸心方向と一致するように形成される。繰出装置５０の案内溝５８は、その溝幅が位置変更機構９０の移動部９１のカム当接部材９４の両端部の直径と略同一に形成される。繰出装置５０における左右のそれぞれの案内溝５８には、位置変更機構９０の移動部９１におけるカム当接部材９４の両端部がそれぞれ配置される。このように配置される位置変更機構９０の移動部９１は、その両端部が左右それぞれの案内溝５８を摺動しながら下目皿８０の軸心方向に移動可能に構成される。
【００７２】
このように繰出装置５０の案内溝５８が構成されることにより、位置変更機構９０の移動部９１は、案内溝５８によって案内されて下目皿８０の軸心方向に移動することとなる。このため、繰出装置５０では、下目皿８０の軸心方向への位置変更機構９０の移動部９１を安定して移動させることができる。
【００７３】
繰出装置５０の姿勢支持部９９は、繰出板５５および下目皿８０を支持するように構成される。繰出装置５０の姿勢支持部９９は、少なくとも、上目皿７０に対して、繰出板５５および下目皿８０における種子（粒状物）が供給される側が上目皿７０から遠ざかる方向（下方に回動する方向）に繰出板５５および下目皿８０（繰出板５５および下目皿８０の配置姿勢）が傾斜しないように、繰出板５５および下目皿８０を支持する。
【００７４】
このように構成される繰出装置５０では、種子がホッパ４１から落下して仕切板３０の仕切部３１よりも後方の目皿６０上に供給されても、上目皿７０に対して、繰出板５５および下目皿８０における種子（粒状物）が供給される側が上目皿７０から遠ざかる方向（下方に回動する方向）に繰出板５５および下目皿８０が傾斜しないため、目皿６０の種子が供給される側において目皿孔６１の容積が目皿６０の種子が繰出される側に比べて大きくならない。つまり、繰出装置５０では、種子が供給される側から種子が繰出される側に目皿６０が回転してもいっても目皿６０の目皿孔６１の容積が次第に小さくならない。したがって、繰出装置５０によれば、種子が供給される側から種子が繰出される側に目皿６０が回転したときに目皿６０の目皿孔６１の容積が小さくなることによって、目皿６０の目皿孔６１内で種子（粒状物）の割れが発生すること、および、目皿６０の目皿孔６１内の種子（粒状物）が目皿孔６１に引っ掛る（詰まる）こと、を防止することができる。
【００７５】
繰出装置５０の姿勢支持部９９は、バネ部材で構成される。繰出装置５０のバネ部材（姿勢支持部９９）は、位置変更機構９０に設けられて、位置変更機構９０の移動部９１を付勢するように構成される。繰出装置５０のバネ部材（姿勢支持部９９）は、位置変更機構９０の移動部９１のカム当接部材９４を回動軸として移動部９１が前方に回動するように付勢するように構成される。
【００７６】
繰出装置５０のバネ部材（姿勢支持部９９）は、所謂ねじりバネであり、その一端部が位置変更機構９０における操作部９２の軸部材９６の後方に配置され、その中途部が移動部９１のカム当接部材９４に捲回されるようにして配置され、その他端部が移動部９１における右方の押圧板９３の後方に配置されるように、構成される。そして、繰出装置５０のバネ部材（姿勢支持部９９）は、前記位置変更機構９０の移動部９１を付勢することによって、移動部９１の押圧板９３の後方の先端で繰出装置５０における繰出板５５の下面（繰出装置５０における繰出板５５の種子が供給される側の下面）を押圧して種子が供給される側が上目皿７０から近づく方向（上方に回動する方向）に繰出板５５および下目皿８０を付勢する。このとき、繰出装置５０のバネ部材（姿勢支持部９９）は、上目皿７０に対して、繰出板５５および下目皿８０における種子（粒状物）が供給される側が上目皿７０から遠ざかる方向（下方に回動する方向）に繰出板５５および下目皿８０が傾斜しないように、繰出板５５および下目皿８０を下方から付勢して、繰出板５５および下目皿８０を支持する。
【００７７】
以上のようにして、繰出装置５０の姿勢支持部９９は、バネ部材で構成されるとともに、位置変更機構９０に設けられて位置変更機構９０の移動部９１を付勢するように構成される。繰出装置５０の位置変更機構９０は、繰出板５５の下面に当接して繰出板５５を押圧しながら下目皿８０の軸心方向に移動可能に構成される移動部９１を備え、移動部９１を移動させることによって繰出板５５および下目皿８０を移動させて目皿６０の目皿孔６１の容積を増減させるように構成される。繰出装置５０のバネ部材（姿勢支持部９９）は、位置変更機構９０の移動部９１を付勢することによって、上目皿７０に対して、繰出板５５および下目皿８０における種子（粒状物）が供給される側が上目皿７０から遠ざかる方向（下方に回動する方向）に繰出板５５および下目皿８０が傾斜しないように、繰出板５５および下目皿８０を支持する。このようにして、繰出装置５０では、種子が供給される側から種子が繰出される側に目皿６０が回転したときに目皿６０の目皿孔６１の容積が小さくなることによって、目皿６０の目皿孔６１内で種子（粒状物）に割れが発生すること、および、目皿６０の目皿孔６１内の種子（粒状物）が目皿孔６１に引っ掛る（詰まる）こと、を防止することができるもの（姿勢支持部９９を具備する繰出装置５０）を、簡易な構造で実現することができる。
【００７８】
また、繰出装置５０の姿勢支持部９９は、種子がホッパ４１から落下して仕切板３０の仕切部３１よりも後方の目皿６０上に供給されても、上目皿７０の軸心と下目皿８０の軸心とが平行するように、繰出板５５および下目皿８０を支持する。このとき、繰出装置５０のバネ部材（姿勢支持部９９）は、種子がホッパ４１から落下して仕切板３０の仕切部３１よりも後方の目皿６０上に供給されても、上目皿７０の軸心と下目皿８０の軸心とが平行するように、繰出板５５および下目皿８０を下方から付勢して、繰出板５５および下目皿８０を支持する。
【００７９】
このように構成される繰出装置５０では、種子が供給される側から種子が繰出される側に目皿６０が回転してもいっても、目皿６０の種子が供給される側と目皿６０の種子が繰出される側とで目皿６０の目皿孔６１の容積が変わらない。したがって、繰出装置５０によれば、目皿６０の種子が供給される側と目皿６０の種子が繰出される側とで目皿６０の目皿孔６１の容積が変わらないため、前記目皿６０の目皿孔６１内で種子（粒状物）の割れが発生すること、および、目皿６０の目皿孔６１内の種子（粒状物）が目皿孔６１に引っ掛る（詰まる）こと、を防止することができるとともに、目皿６０の回転動作を安定させることができる。
【００８０】
また、繰出装置５０の姿勢支持部９９は、種子がホッパ４１から落下して仕切板３０の仕切部３１よりも後方の目皿６０上に供給されても、上目皿７０に対して、繰出板５５および下目皿８０における種子（粒状物）が繰出される側が上目皿７０から遠ざかる方向（下方に回動する方向）に繰出板５５および下目皿８０（繰出板５５および下目皿８０の配置姿勢）が傾斜するように、繰出板５５および下目皿８０を支持するように構成することもできる。このとき、繰出装置５０のバネ部材（姿勢支持部９９）は、種子がホッパ４１から落下して仕切板３０の仕切部３１よりも後方の目皿６０上に供給されても、上目皿７０に対して、繰出板５５および下目皿８０における種子（粒状物）が繰出される側が上目皿７０から遠ざかる方向（下方に回動する方向）に繰出板５５および下目皿８０（繰出板５５および下目皿８０の配置姿勢）が傾斜するように、繰出板５５および下目皿８０を下方から付勢して、繰出板５５および下目皿８０を支持する。
【００８１】
このように構成される繰出装置５０では、繰出板５５および下目皿８０における種子（粒状物）が繰出される側が上目皿７０から遠ざかる方向（下方に回動する方向）に繰出板５５および下目皿８０（繰出板５５および下目皿８０の配置姿勢）が上目皿７０に対して傾斜するため、目皿６０の種子が供給される側において目皿孔６１の容積が目皿６０の種子が繰出される側に比べて小さくなる。そして、繰出装置５０では、種子が供給される側から種子が繰出される側に目皿６０が回転していくと目皿６０の目皿孔６１の容積が次第に大きくなる。したがって、繰出装置５０によれば、種子が供給される側から種子が繰出される側に目皿６０が回転していくと目皿６０の目皿孔６１の容積が次第に大きくなるため、前記目皿６０の目皿孔６１内で種子（粒状物）の割れが発生すること、および、目皿６０の目皿孔６１内の種子（粒状物）が目皿孔６１に引っ掛る（詰まる）こと、を確実に防止することができる。
【００８２】
また、繰出装置５０は、姿勢支持部９９に加えて、遮蔽部材３５を備えて構成される。このため、繰出装置５０では、前記遮蔽部材３５の上面に当接した後または遮蔽部材３５の上面側に溜まった後に目皿６０の上面側に落下する種子は、落下の勢いが弱められて目皿６０側（目皿孔６１）に落下することとなる。したがって、繰出装置５０によれば、種子が落下したときの目皿６０の目皿孔６１内の種子（粒状物）にかかる圧力を弱めて、種子が落下することによって、上目皿７０に対して繰出板５５および下目皿８０における種子（粒状物）が供給される側が下方に回動する方向に繰出板５５および下目皿８０が傾斜すること、を防止することができる。
【符号の説明】
【００８３】
１  走行機体
１９  湛水直播機
４０  播種装置
５０  繰出装置
５５  繰出板
５５ａ  繰出口
５７  シム
６０  目皿
６１  目皿孔
７０  上目皿
７４  上目皿孔
８０  下目皿
８４  下目皿孔
９０  位置変更機構
９１  移動部
９２  操作部
９９  姿勢支持部
【図１】
0005940341.tif 000002
【図２】
0005940341.tif 000003
【図３】
0005940341.tif 000004
【図４】
0005940341.tif 000005
【図５】
0005940341.tif 000006
【図６】
0005940341.tif 000007
【図７】
0005940341.tif 000008
【図８】
0005940341.tif 000009
【図９】
0005940341.tif 000010
【図１０】
0005940341.tif 000011
【図１１】
0005940341.tif 000012